(57)【要約】【課題】  分別機能を飛躍的に拡大でき、格納時には分解してコンパクトで簡素な構造でありながら、組立後には比較的強固な構造となって多種類のごみの分別を可能にする。【解決手段】  複数のごみ袋９を保持可能に設置した分別用ごみ収納棚において、組立・分解可能な受台保持枠１０と、該受台保持枠１０に取り付けられた多数の抜止め部材１、１・・・と、これら多数の抜止め部材１に係合するフック溝６を有する収納枠体２０とから構成されたことにより、収納枠体２０のフック溝６を受台保持枠１０における抜止め部材１に係合するだけで、格別の締結具等を用いずとも、収納枠体２０と受台保持枠１０との相互連結が収納枠体２０自体の自重および収納枠体２０に保持したごみ袋９等の重量によって、抜け出ることなく確実になされて、ごみ収納棚として強固な組立体となる上に、収納枠体２０に保持される複数のごみ袋９等により、多数の種類のごみを分別できる。【選択図】  図１
2007070000.tif 000002
【特許請求の範囲】
【請求項１】
複数のごみ袋を保持可能に設置した分別用ごみ収納棚において、組立・分解可能な受台保持枠と、該受台保持枠に取り付けられた多数の抜止め部材と、これら多数の抜止め部材に係合するフック溝を有する収納枠体とから構成されたことを特徴とする分別用ごみ収納棚。
【請求項２】
前記収納枠体が受台保持枠に多段に設置されることを特徴とする請求高１に記載の分別用ごみ収納棚。
【請求項３】
前記収納枠体の上面に蓋部材またはごみ投入枠体を着脱自在に設置したことを特徴とする請求項１または２に記載の分別用ごみ収納棚。
【請求項４】
前記収納枠体の上方または前方からごみ袋保持枠またはごみ箱を挿入保持させるように構成したことを特徴とする請求項１から３のいずれかに記載の分別用ごみ収納棚。
【請求項５】
前記受台保持枠が、背面板にヒンジ連結された扉部材であり、かつ収納枠体の基部側が前記背面板に軸支されたことを特徴とする請求項１から４のいずれかに記載の分別用ごみ収納棚。
【請求項６】
前記ごみ袋保持枠の周囲に締結バンドを巻き付けるごみ袋保持溝を形成したことを特徴とする請求項１から５のいずれかに記載の分別用ごみ収納棚。
【請求項７】
前記ごみ袋保持枠の上面に押え枠を揺動自在にヒンジ軸着して配設するとともに、該ヒンジ部が前記ごみ袋保持溝の曲率に略等しい湾曲アームとその上下に配設されたヒンジとから構成されたことを特徴とする請求項６に記載の分別用ごみ収納棚。
【請求項８】
前記押え枠をごみ袋保持枠に対してロック可能に係止するとともに、ごみ袋保持枠の前面に設置した取手の操作により、押え枠のごみ袋保持枠からの開放を可能に構成したことを特徴とする請求項７に記載の分別用ごみ収納棚。
【請求項９】
前記受台保持枠の少なくとも一方が物置等の壁面であることを特徴とする請求項１から４および６から８のいずれかに記載の分別用ごみ収納棚。
【発明の詳細な説明】
【技術分野】
【０００１】
本発明は、複数のごみ袋を保持可能に設置した分別用ごみ収納棚に関する。
【背景技術】
【０００２】
近年、地球環境の悪化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされているものの、現状のごみ箱は比較的大型の箱状体から構成されており、多種類のごみの分別を行うには広いスペースを要して限界があった。そこで、比較的小さなごみ箱を積み重ねてごみの分別を可能にしたものが提案された（例えば下記特許文献１参照）。
【特許文献１】特開２００３−３４４０４号公報（請求項２および図４参照）
【発明の開示】
【発明が解決しようとする課題】
【０００３】
前記特許文献１に開示されたごみ箱は、図６に示すように、上下方向に複数のごみ容器１２５ａ、１２５ｂを、はめこみ用周段部１３０と被はめこみ用周段部１３１との嵌合により、着脱自在に重ねてごみ箱１２１を構成し、最上段のごみ容器１２５ａの側面上部に取手１２３を突設し、最下段のごみ容器１２５ｂの下面部にキャスター１２２を設けてなるもので、下段のごみ容器１２５ｂの側面開口部１２８には内容器が引出し自在に収容される。
【０００４】
このような積重ね式の分別ごみ箱により、ある程度の種類のごみの分別が可能となったものの、今後予想されるさらに多種類のごみの分別に対応するには、多段にごみ容器を積み重ねる必要があって、転倒の危険性が高まり実用的ではない。しかも、ごみ容器を積み重ねた場合に、ごみの投入のためには、上段のもののように蓋１２７を開閉自在に設けるか、下段のもののように側面開口部１２８を開口する必要があった。そのため、ごみ箱の構造が複雑になったり、開口により強度不足に陥りがちであった。
【０００５】
そこで本発明では、前記従来の積重ね式の分別ごみ箱における、限られた分別機能を飛躍的に拡大して、梱包・輸送および格納時には分解してコンパクトで簡素な構造でありながら、組立後には比較的強固な構造となって多種類のごみの分別が可能な分別用ごみ収納棚を提供することを目的とする。
【課題を解決するための手段】
【０００６】
そのため本発明は、複数のごみ袋を保持可能に設置した分別用ごみ収納棚において、組立・分解可能な受台保持枠と、該受台保持枠に取り付けられた多数の抜止め部材と、これら多数の抜止め部材に係合するフック溝を有する収納枠体とから構成されたことを特徴とする。前記収納枠体が受台保持枠に多段に設置されることを特徴とする。また本発明は、前記収納枠体の上面に蓋部材またはごみ投入枠体を着脱自在に設置したことを特徴とする。また本発明は、前記収納枠体の上方または前方からごみ袋保持枠またはごみ箱を挿入保持させるように構成したことを特徴とする。また本発明は、前記受台保持枠が、背面板にヒンジ連結された扉部材であり、かつ収納枠体の基部側が前記背面板に軸支されたことを特徴とする。また本発明は、前記ごみ袋保持枠の周囲に締結バンドを巻き付けるごみ袋保持溝を形成したことを特徴とする。また本発明は、前記ごみ袋保持枠の上面に押え枠を揺動自在にヒンジ軸着して配設するとともに、該ヒンジ部が前記ごみ袋保持溝の曲率に略等しい湾曲アームとその上下に配設されたヒンジとから構成されたことを特徴とする。また本発明は、前記押え枠をごみ袋保持枠に対してロック可能に係止するとともに、ごみ袋保持枠の前面に設置した取手の操作により、押え枠のごみ袋保持枠からの開放を可能に構成したことを特徴とする。また本発明は、前記受台保持枠の少なくとも一方が物置等の壁面であることを特徴とするもので、これらを課題解決のための手段とする。
【発明の効果】
【０００７】
本発明では、複数のごみ袋を保持可能に設置した分別用ごみ収納棚において、組立・分解可能な受台保持枠と、該受台保持枠に取り付けられた多数の抜止め部材と、これら多数の抜止め部材に係合するフック溝を有する収納枠体とから構成されたことにより、収納枠体のフック溝を受台保持枠における抜止め部材に係合するだけで、格別の締結具等を用いずとも、収納枠体と受台保持枠との相互連結が収納枠体自体の自重および収納枠体に保持したごみ袋等の重量によって、抜け出ることなく確実になされて、ごみ収納棚として強固な組立体となる上に、収納枠体に保持される複数のごみ袋等により、多数の種類のごみの分別が可能となる。
【０００８】
また、前記収納枠体が受台保持枠に多段に設置される場合は、ごみの分別の種類がさらに飛躍的に増大する。さらに、前記収納枠体の上面に蓋部材またはごみ投入枠体を着脱自在に設置した場合は、分別廃棄されたごみの臭気を遮断したり、蠅等の被害からも遮断できるし、ごみの外部への直接の露呈を防止して見栄えがよくなる。
【０００９】
さらにまた、前記収納枠体の上方または前方からごみ袋保持枠またはごみ箱を挿入保持させるように構成した場合は、軽量のごみは上方から取り出して廃棄できるし、重量のごみは前方から取り出して廃棄できるので、必要に応じていずれかを選定できて設計の自由度が増大する。また、ごみ袋は収納枠体から取り外せるので清潔であり、ごみ箱の場合も容易に取り外して清掃でき清潔である。また、前記受台保持枠が、背面板にヒンジ連結された扉部材であり、かつ収納枠体の基部側が前記背面板に軸支された場合は、収納枠体を背面板に折り畳んで収納してコンパクトにできるものでありながら、開いた扉部材の抜止め部材に収納枠体のフック溝を係合するだけで、ごみ収納棚として強固な組立体が実現できる。
【００１０】
さらに、前記ごみ袋保持枠の周囲に締結バンドを巻き付けるごみ袋保持溝を形成した場合は、ごみ袋保持枠に通されて折り返されたごみ袋の上端周縁を、締結バンドにより全周で均一に保持することができるので、ビニール等により構成されたごみ袋に対する面圧を低くして、ごみ袋が破損する虞れがなくなる。さらにまた、前記ごみ袋保持枠の上面に押え枠を揺動自在にヒンジ軸着して配設するとともに、該ヒンジ部が前記ごみ袋保持溝の曲率に略等しい湾曲アームとその上下に配設されたヒンジとから構成された場合は、ごみ袋保持枠に通されて折り返されたごみ袋の上端周縁が押え枠により確実に保持されるとともに、ごみ袋保持溝の曲率に略等しい湾曲アームによりさらにごみ袋の上端部一部が適切に保持される。
【００１１】
また、前記押え枠をごみ袋保持枠に対してロック可能に係止するとともに、ごみ袋保持枠の前面に設置した取手の操作により、押え枠のごみ袋保持枠からの開放を可能に構成した場合は、ごみ袋保持枠に対して取手を押し引きすることで押え枠を開放し、容易にごみ袋をごみ袋保持枠から外して廃棄することができる。さらに、前記受台保持枠の少なくとも一方が物置等の壁面である場合は、受台保持枠を設置することなく省略して、物置等の壁面に抜止め部材を設置するだけで受台保持枠を代用でき、部品点数の大幅な削減が可能となる。
【発明を実施するための最良の形態】
【００１２】
以下、本発明の実施例を図面に基づいて詳細に説明する。図１は本発明の分別用ごみ収納棚の第１実施例を示す分解全体斜視図、図２は本発明の分別用ごみ収納棚の第２実施例を示す要部分解斜視図、図３は本発明の分別用ごみ収納棚の折畳み式の第３実施例を示す全体斜視図、図４は本発明の分別用ごみ収納棚の第４実施例を示す要部説明図、図５は本発明の分別用ごみ収納棚の第５実施例を示す全体斜視図である。本発明の基本的な構成は、図１に示すように、複数のごみ袋９を保持可能に設置した分別用ごみ収納棚において、組立・分解可能な受台保持枠１０、１０と、該受台保持枠１０、１０に取り付けられた多数の抜止め部材１、１・・・と、これら多数の抜止め部材１に係合するフック溝６、６を有する収納枠体２０とから構成されたことを特徴とする。
【実施例１】
【００１３】
以下に実施例について説明する。図１は本発明の分別用ごみ収納棚の第１実施例を示す分解全体斜視図である。受台保持枠１０、１０は、左右一対から構成され、それぞれが、例えばコの字断面のチャンネル状の側柱１１、１１と、これら側柱１１間に多段に設置された横架桟１２、１２・・とから構成される。側柱１１と横架桟１２とは、横架桟１２の両端部の螺子孔（図示省略）と、側柱１１の背面に多段に設けられた多数の螺子孔５とを選択して蝶螺子２により螺合連結される。各横架桟１２の両側に設けられた多数の螺子孔４には選択的に複数の抜止め部材、例えば径大頭部ビス１が螺合される。
【００１４】
抜止め部材１としては、径大頭部ビスに限定されることなく、抜止めが可能なＬ字形金具やその他の部材が採用できる。横架桟１２への取付けについても、螺合に限定されずに固着等適宜の手段が採用され得る。図示の例のものは、一対の受台保持枠１０における横架桟１２、１２間の対向する側に径大頭部ビス１が配設されるが、さらに受台保持枠１０を追加併設して３列配置に増設する場合には、中央に位置する受台保持枠１０の横架桟１２にはその両面に径大頭部ビス１が螺合されることになる。図１の分解状態では、一対の受台保持枠１０は転倒の虞れがあって不安定である。符号３は側柱１１の下端部に挿入固定自在なキャスタを示す。前記一対の受台保持枠１０については、後述する収納枠体２０との組立前において、転倒の虞れがある不安定さを解消するために、前記側柱１１の背面に多段に設けられた多数の螺子孔５を利用して、複数段の水平状の仮桟により前記一対の受台保持枠１０同士を連結しておくことも可能である。  
【００１５】
併設起立された一対の受台保持枠１０間に、ごみの収納枠体２０が多段（図示の例は２段）に保持固定される。収納枠体２０は、例えば平面視長方形を呈しており、前後枠２２、２２とそれらの両端部を連結する側枠２１、２１とから構成される。収納枠体２０は例えば図示の例のように３分割されて、それぞれの上方からごみ袋９が挿入保持される。ごみ袋９は、前記収納枠体２０の分割された保持部の平面投影面積にほぼ等しく構成さたごみ袋保持枠３０により保持される。ごみ袋保持枠３０の周囲には、断面形状を例えば円弧の凹溝としたごみ袋保持溝３１が形成され、ごみ袋保持枠３０の内側の孔に通されて折り返されたごみ袋９の上端周縁を、締結バンド８により全周で均一に保持することができる。ビニール等により構成されたごみ袋９に対する面圧を低くして、ごみ袋９が破損する虞れがなくなる。収納枠体２０の分割された各保持部の底面には受底２３が周縁に形成され、ごみ袋保持枠３０を保持確保して落下しないように受け止めることができる。
【００１６】
収納枠体２０における前後枠２２（側枠２１にも形成されてもよい）の上面には複数の係止孔７、７・・・が形成され、後述する蓋４０やごみ投入枠体４１を設置するのに利用される。収納枠体２０における両側の側枠２１の下面には、前記受台保持枠１０の横架桟１２に設置された径大頭部ビス１の設置位置に対応して複数のフック溝６、６が形成される。好適にはフック溝６は逆Ｕ字形とされるが、逆Ｌ字形等適宜の形状が採用され得る。要は、フック溝６に係合した径大頭部ビス１が抜止め可能に構成されればよい。収納枠体２０におけるフック溝６を径大頭部ビス１の上方から係合した後は、収納枠体２０の自重および収納枠体２０に保持したごみ袋９等の重量によって、収納枠体２０のフック溝６が受台保持枠１０の径大頭部ビス１から抜け出ることはなく、組立形状が保形されて連結が確実になされ、ごみ収納棚として強固な組立体となる上に、収納枠体２０に保持される複数のごみ袋９等により、多数の種類のごみの分別が可能となる。
【実施例２】
【００１７】
図２は本発明の分別用ごみ収納棚の第２実施例を示す要部分解斜視図である。本実施例では、収納枠体２０の上面に蓋部材４０またはごみ投入枠体４１を着脱自在に設置するとともに、収納枠体２０の前方からごみ袋保持枠３０またはごみ箱３２を挿入保持させるように構成したものである。収納枠体２０における前後枠２２の上面に形成された複数の係止孔７、７には、蓋部材４０またはごみ投入枠体４１の下面に設置された係止爪４６が挿入係止して着脱自在に設置される。
【００１８】
蓋部材４０の後端下面にはヒンジ４４を介して保持板４５が連結され、該保持板４５の下面には、Ａ矢視で示すように、前記収納枠体２０における前後枠２２の上面に形成された複数の係止孔７、７に対応する位置に係止爪４６が設置される。したがって、蓋部材４０の収納枠体２０への設置後は、蓋部材４０は開閉自在に揺動可能となる。
【００１９】
蓋部材４０に代えて箱状のごみ投入枠体４１を前記収納枠体２０に設置することができる。箱状で前面に傾斜したごみの投入孔４２が形成されたごみ投入枠体４１の下面には、収納枠体２０における前後枠２２の上面に形成された複数の係止孔７、７に対応する位置に係止爪４６が設置され、収納枠体２０の上面に着脱可能に設置される。ごみ投入枠体４１の底部には、下部に挿入保持される後述のごみ袋９あるいはごみ箱３２へのごみの落下を可能にする底孔４３が穿設される。図２の右側のごみ投入枠体４１は、その下面に収納枠体２０の前後枠２２を把持する把持部材４７を設置した例である。
【００２０】
本実施例では、さらに、収納枠体２０の前方からごみ袋保持枠３０またはごみ箱３２を挿入保持させるように構成したものである。分別すべきごみが重い場合を想定して、ごみ袋保持枠３０またはごみ箱３２を持ち上げることなく、前方から取り出して廃棄できるように構成することで。設計の自由度が増大する。収納枠体２０の各分割部の前面に挿入溝２４を形成するとともに、各分割部の底部両側にはガイド部を兼用する受底２３を形成する。このように構成された挿入溝２４に対して、ごみ箱３２における挿入部３３あるいは、ごみ袋９を挿入保持したごみ袋保持枠３０が前方から挿入保持させる。
【００２１】
かくして、蓋部材４０あるいはごみ投入枠体４１の投入枠体２０上面への設置により、分別廃棄されたごみの臭気や蠅等の被害から遮断したり、外部への直接の露呈を防止して見栄えをよくし、さらに、ごみ袋９を収納枠体２０から取り外せるので清潔であり、ごみ箱３２の場合も容易に取り外して清掃でき清潔である。
【実施例３】
【００２２】
図３は本発明の分別用ごみ収納棚の折畳み式の第３実施例を示す全体斜視図である。本実施例のものは、コンパクトに折り畳むことができる分別用ごみ収納棚とした例である。本実施例では、図３（Ａ）に示すように、前記第１実施例における受台保持枠１０に代えて扉部材２６、２６を採用した。扉部材２６は平断面がコ字形の背面板２５の前面にヒンジ（図３（Ｂ）の符号２８）連結されて構成される。収納枠体２０の基部側が前記背面板２５の両側板２５Ａに支軸２７により軸支され、図３（Ｂ）に示すように、複数段の収納枠体２０をそれぞれ背面板２５に折り畳むことによって収納してコンパクトにできる。
【００２３】
本実施例の分別用ごみ収納棚を組み立てるには、図３（Ａ）に示すように、複数段の収納枠体２０をそれぞれ背面板２５の両側板２５Ａに対して水平状よりやや上向きに引き起こした上で、扉部材２６、２６を両側板２５Ａと面一の位置に揺動させて側枠２１に添設させる。そこで、前記収納枠体２０をほぼ水平状にセットすることで、その側枠２１、２１の前方側に形成したフック溝６、６を、前記扉部材２６、２６の内側の対応位置に設置した径大頭部ビス１に係合させる。なお、扉部材２６については、図示の例の方形板状体の他に、上下段の各径大頭部ビス１の設置部位およびキャスタ等の設置部位を残して三角形状やＵ字形状に切り欠いて軽量化を図ることもできる。
【００２４】
これによって、組み立てられた収納枠体２０のフック溝６が扉部材２６の径大頭部ビス１から抜け出ることはなく、折畳み式としての分別用ごみ収納棚の組立形状が保形されて連結が確実になされ、ごみ収納棚として強固な組立体となる上に、収納枠体２０に保持される複数のごみ袋等により、多数の種類のごみの分別が可能となる。なお、背面板２５の両側下面および扉部材２６の揺動端部下面にはキャスタ３を設置して、分別用ごみ収納棚の運搬を容易にすることもできる。
【実施例４】
【００２５】
図４は本発明の分別用ごみ収納棚の第４実施例を示す要部説明図である。本実施例のものは、ごみ袋保持枠に押え枠を設置したものである。図４（Ａ）および（Ｃ）（Ｄ）に示すように、ごみ袋保持枠３０の上面に、前述したごみ袋保持溝３１の曲率に略等しい湾曲アーム３５とその上下に配設されたヒンジ３６、３６により押え枠３４を揺動自在にヒンジ軸着して配設するとともに、該押え枠３４をごみ袋保持枠３０に対してロック可能に係止するとともに、ごみ袋保持枠３０の前面に設置した取手３８の操作により、押え枠３４のごみ袋保持枠３０からの開放を可能に構成したものである。
【００２６】
前記湾曲アーム３５とその上下に配設された２つのヒンジ３６、３６によって、湾曲アーム３５自体がごみ袋保持枠３０のごみ袋保持溝３１の下部に対して揺動可能に構成されていることにより、図４（Ｂ）に示すように、押え枠３４のごみ袋保持枠３０の上面への添設時に、ごみ袋保持枠３０の中央孔に通されて折り返されたごみ袋９の上端周縁を湾曲アーム３５が挟持することができる。湾曲アーム３５の上部のヒンジ３６は押え枠３４の自体の揺動を可能にする。かくして、ごみ袋保持枠３０に通されて折り返されたごみ袋９の上端周縁が押え枠３４により確実に保持されるとともに、ごみ袋保持溝３１の曲率に略等しい湾曲アーム３５によりさらにごみ袋９の上端周縁の一部が適切に保持される。
【００２７】
図４（Ｂ）のＢ部の拡大断面図ある図４（Ｃ）およびその詳細図である図４（Ｄ）に示すように、ごみ袋保持枠３０に対して取手３８を押し引きすることで押え枠３４を開放し、容易にごみ袋９をごみ袋保持枠３０から外して廃棄することができる。図４（Ｃ）に示すように、押え枠３４の前方下部から一対のロック脚部３７が垂設され、その下端部近傍にロック突起３７Ａが突設される。ロック突起３７Ａは弾性を有しており、その弾性復元力により、押え枠３４をごみ袋保持枠３０の上面に載置すると、ロック突起３７Ａがごみ袋９の上縁周縁の一部に食い込みつつ、ごみ袋保持枠３０の大径孔３０Ａに挿入係止されて、押え枠３４がロックされる。ロック突起３７Ａの先端は好適には球面とされ、ごみ袋９の損傷を防ぐ。
【００２８】
図４（Ｄ）に詳細に示すように、ごみ袋保持枠３０の大径孔３０Ａ側から握り部分を挿入係止した取手３８は小径孔３０Ｂに握り部分が挿入される。取手３８の径大部３８Ａは前記大径孔３０Ａ部に嵌合された後、栓体３９により閉塞される。取手３８はごみ袋保持枠３０を収納枠体２０から引き出す際に使用され、取手３８を押し込むことでロック脚部３７自体の弾性復元力に抗してロック突起３７Ａをロック解除位置に後退させ、押え枠３４の開放が可能となる。
【実施例５】
【００２９】
図５は本発明の分別用ごみ収納棚の第５実施例を示す全体斜視図である。本実施例のものは、前記図１の第１実施例のものの受台保持枠１０の少なくとも一方を物置等（一点鎖線）の壁面で代用させた例である。このように構成することによって、少なくとも一方の受台保持枠１０を設置することなく省略して、物置等の壁面に抜止め部材１、１・・・を設置するだけで受台保持枠１０を代用でき、部品点数の大幅な削減が可能となる。図示の例は、上段にはやや奥行きの小さな収納枠体２０（側枠２１にフック溝６が２か所形成されている）を配設し、下段には奥行きの大きな収納枠体２０（側枠２１にフック溝６が３か所形成されている）を配設した例である。なお、図面下方のものは、ごみ収納枠体２０として、図示省略のフック付きハンガーを備えたごみ袋保持枠３０を多数吊り下げるためのハンガー棒２９を備えたものである。
【００３０】
以上、本発明の実施例について説明してきたが、本発明の趣旨の範囲内にて、使用するごみ袋の形状、形式（ポリ袋、紙袋、フレコンパック等）、受台保持枠の形状（側柱や横架桟の断面形状、例えばチャンネル状側枠や中実角形、中空角形の横架桟）、材質（木、プラスチック、鋼材等）およびその側柱と横架桟との連結形態（蝶螺子の他、通常の緊締ボルトによる締結等）、ならびに横架桟の段数、抜止め部材の形状、形式（径大頭部ビスの他、Ｌ字形金具やその他の部材が採用できる）およびその受台保持枠への設置形態（螺合、固着等）ならびに数、受台保持枠における横架桟のフック溝の形状（逆Ｕ字形、逆Ｌ字形等適宜の形状が採用され得る）、蓋部材の形状（取手を付けたり、スプリングによる閉成付勢等）、形式等については適宜選定できる。
【００３１】
また、ごみ投入枠体の形状、形式（ごみ投入口へのフラップ式の蓋部材の付設等）、蓋部材およびごみ投入枠体の収納枠体への設置形態（係止爪の形状、形式およびその係止孔への係止形態、把持部材の形状、形式等）、収納枠体への前方からのごみ袋保持枠またはごみ箱の挿入形態（挿入溝の形状は長方形の他、台形等でもよい）、折畳み式とした場合の背面板の形状、形式（板状体の他、格子状や網目状であってもよい）、、ヒンジ連結された扉部材の形状、形式（板状体の他、格子状や網目状であってもよい）、ごみ袋保持枠の形状、形式およびそのごみ袋保持溝の形状（断面形状は円弧形状が好適であるが、方形の溝を排除するものではない）、締結バンドの形状、形式および材質（ゴム、スプリング等）、押え枠の形状、形式およびそのヒンジ軸着形態（湾曲アームの曲率等の形状、その上下のヒンジの形状、形式等）、押え枠のごみ袋保持枠へのロック形態および取手によるロック解除形態、物置等の壁面への抜止め部材の設置形態等についても適宜選定できる。
【図面の簡単な説明】
【００３２】
【図１】本発明の分別用ごみ収納棚の第１実施例を示す分解全体斜視図である。
【図２】本発明の分別用ごみ収納棚の第２実施例を示す要部分解斜視図である。
【図３】本発明の分別用ごみ収納棚の折畳み式の第３実施例を示す全体斜視図である。
【図４】本発明の分別用ごみ収納棚の第４実施例を示す要部説明図である。
【図５】本発明の分別用ごみ収納棚の第５実施例を示す全体斜視図である。
【図６】従来のごみ箱の全体斜視図である。
【符号の説明】
【００３３】
１    抜止め部材（径大頭部ビス等）
２    蝶螺子
３    キャスタ
４    螺子孔
５    螺子孔
６    フック溝
８    締結バンド
９    ごみ袋
１０    受台保持枠
１１    側柱
１２    横架桟
２０    ごみ収納枠体
２１    側枠
２２    前後枠
３０    ごみ袋保持枠
３１    ごみ袋保持溝
【図１】
2007070000.tif 000003
【図２】
2007070000.tif 000004
【図３】
2007070000.tif 000005
【図４】
2007070000.tif 000006
【図５】
2007070000.tif 000007
【図６】
2007070000.tif 000008